(57)【要約】【課題】乗場機器の水濡れを確実に防止でき、乗場機器をカバーしている透明フィルムの交換作業を簡便迅速に実施できるエレベータ乗場機器の防水装置を提供することである。【解決手段】防水装置１０は、乗場壁１２に設置された乗場ユニット１５に取り付けられ、乗場ユニット１５の表面をカバーして設けられる透明フィルム１８と、使用前の透明フィルム１８を巻き付けたフィルム供給軸１９と、使用済みの透明フィルム１８を巻き取るフィルム回収軸２０と、を備え、フィルム供給軸１９及びフィルム回収軸２０は、乗場ユニット１５の上部及び下部の乗場壁１２に、それぞれ対向して設けられ、フィルム回収軸２０を回転させることにより、フィルム供給軸１９も連動回転して新しい透明フィルム１８が乗場ユニット１５の表面をカバーすると共に、使用済みの透明フィルム１８がフィルム回収軸２０に巻き取られて回収されることを特徴とする。【選択図】図２
2010023936.tif 000002
【特許請求の範囲】
【請求項１】
エレベータ乗場壁に設置されたエレベータ乗場機器に取り付けられ、
乗場機器の表面をカバーして設けられる透明フィルムと、
使用前の透明フィルムを巻き付けたフィルム供給軸と、
透明フィルムの他端が固定され、使用済みの透明フィルムを巻き取るフィルム回収軸と、
を備え、
フィルム供給軸及びフィルム回収軸は、乗場機器縁部又は乗場機器周囲の乗場壁に、透明フィルムが乗場機器表面をカバーするようにそれぞれ対向して設けられ、
フィルム回収軸を回転させることにより、フィルム供給軸も連動回転して新しい透明フィルムが乗場機器の表面をカバーすると共に、使用済みの透明フィルムがフィルム回収軸に巻き取られて回収されることを特徴とするエレベータ乗場機器の防水装置。
【請求項２】
請求項１に記載のエレベータ乗場機器の防水装置において、
フィルム供給軸よりも上方の乗場機器縁部又は乗場壁に左右方向に沿って設置され乗場機器又は乗場壁から突出した上部防水壁を含み、フィルム供給軸をカバーすると共に、回転可能に支持する上部防水フレームを備えることを特徴とするエレベータ乗場機器の防水装置。
【請求項３】
請求項２に記載のエレベータ乗場ユニットの防水装置において、
乗場機器の両側縁部又は乗場機器の両側端部に近接した乗場壁に上下方向に沿って設置され、透明フィルムの側縁部をカバーするサイド防水フレームを備えることを特徴とするエレベータ乗場機器の防水装置。
【請求項４】
請求項２又は３に記載のエレベータ乗場機器の防水装置において、
フィルム回収軸をカバーすると共に、回転可能に支持する下部防水フレームを備え、
フィルム回転軸及び下部防水フレームに、フィルム回収軸を回転させる回収軸回転具を挿入する嵌合部が設けられることを特徴とするエレベータ乗場機器の防水装置。
【請求項５】
請求項２又は３に記載のエレベータ乗場機器の防水装置において、
フィルム回収軸をカバーすると共に、回転可能に支持する下部防水フレームを備え、
下部防水フレームに、フィルム回収軸を回転させる電動モータが設けられることを特徴とするエレベータ乗場機器の防水装置。
【発明の詳細な説明】
【技術分野】
【０００１】
本発明は、エレベータ乗場機器の防水装置に係り、特に風雨に曝される場所に設置されたエレベータ乗場の乗場機器（乗場インジケータ、乗場押ボタン等）に取り付けられる防水装置に関する。
【背景技術】
【０００２】
エレベータは、複数階床間を移動する昇降機であり、各階床にはエレベータかごに乗降するためのエレベータ乗場が設置される。このエレベータ乗場には、エレベータかごの運転方向や位置（階床）を表示する乗場インジケータ、エレベータかごを呼ぶための乗場押ボタン、エレベータの運転及び休止の操作を行うための乗場休止スイッチ等の乗場機器が設置されている。一般的に、エレベータ乗場は屋内に設置されるが、駅、公園や競技場等の野外施設、マンションやビルの１階など、風雨に曝される可能性のある場所に設置されることがある。エレベータ乗場が風雨に曝された場合には、乗場壁面に設置される乗場押ボタン等の乗場機器が水濡れするおそれがある。
【０００３】
乗場押ボタン等の乗場機器は、乗場壁に形成された窪み部に嵌め込まれており（又はビス止め）、乗場機器の裏面側或いは窪み部には、電子基板、表示用ランプ、エレベータ制御装置に繋がる配線等の電子部品が設置されている。乗場機器の表面側が水濡れした場合には、電子部品が設置される乗場機器の裏面側や窪み部に水が浸入して、これら電気部品がショートする等の不具合を引き起こすおそれがある。このような状況に鑑みて、エレベータ乗場機器の防水装置が考案されている。
【０００４】
例えば、特許文献１には、乗場機器の上位で乗場の側壁に水平方向に延設されて水滴を堰き止める上部堰と、乗場機器の両側で側壁に上下方向に延設されて水滴を堰き止める側部堰と、縁部が上部堰及び側部堰に取り付けられて乗場機器を覆う防滴カバーとからなるエレベータの乗場機器の防滴具が開示されている。また、特許文献１には、上部堰及び側部堰のそれぞれと重畳する上枠によって防滴カバー（ポリ塩化ビニル材の薄膜）を挟着する構成では、防滴効果を奏すると共に、上枠の着脱により防滴カバーを容易に更新できること、更には、防滴カバーを上部堰、左側部堰、及び右側部堰に直接接着する構成を適用できることが述べられている。
【特許文献１】特開２０００−２５５９２６号公報
【発明の開示】
【発明が解決しようとする課題】
【０００５】
特許文献１の防滴具によれば、乗場機器の水濡れを防止できるが、防滴具に適用される防滴カバーは、ポリ塩化ビニル等の透明フィルムであって、乗場押ボタンをカバーする部分は磨耗し、また、透明フィルムに塵や埃が堆積する等して汚れることは避けられない。従って、比較的短いタイミングで防滴カバーを交換する必要が生じる。しかしながら、特許文献１の防滴具では、いずれの構成によっても、防滴カバーを交換するときには、上部堰等を外して新しい防滴カバーを取り付ける或いは上部堰等から防滴カバーを剥がし取る等の作業を行う必要があり、防滴カバーの交換作業が非常に面倒である。
【０００６】
本発明の目的は、乗場機器の水濡れを確実に防止できると共に、乗場機器をカバーしている透明フィルムの交換作業を簡便且つ迅速に実施できるエレベータ乗場機器の防水装置を提供することである。
【課題を解決するための手段】
【０００７】
本発明に係るエレベータ乗場機器の防水装置は、エレベータ乗場壁に設置された乗場機器に取り付けられ、乗場機器の表面をカバーして設けられる透明フィルムと、使用前の透明フィルムを巻き付けたフィルム供給軸と、透明フィルムの他端が固定され、使用済みの透明フィルムを巻き取るフィルム回収軸と、を備え、フィルム供給軸及びフィルム回収軸は、乗場機器縁部又は乗場機器周囲の乗場壁に、透明フィルムが乗場機器表面をカバーするようにそれぞれ対向して設けられ、フィルム回収軸を回転させることにより、フィルム供給軸も連動回転して新しい透明フィルムが乗場機器の表面をカバーすると共に、使用済みの透明フィルムがフィルム回収軸に巻き取られて回収されることを特徴とする。
【０００８】
また、フィルム供給軸よりも上方の乗場機器縁部又は乗場壁に左右方向に沿って設置され乗場機器又は乗場壁から突出した上部防水壁を含み、フィルム供給軸をカバーすると共に、回転可能に支持する上部防水フレームを備えることが好ましい。
【０００９】
また、乗場機器の両側縁部又は乗場機器の両側端部に近接した乗場壁に上下方向に沿って設置され、透明フィルムの側縁部をカバーするサイド防水フレームを備えることが好ましい。
【００１０】
また、フィルム回収軸をカバーすると共に、回転可能に支持する下部防水フレームを備え、フィルム回転軸及び下部防水フレームに、フィルム回収軸を回転させる回収軸回転具を挿入する嵌合部が設けられることが好ましい。
【００１１】
また、フィルム回収軸をカバーすると共に、回転可能に支持する下部防水フレームを備え、下部防水フレームに、フィルム回収軸を回転させる電動モータが設けられることが好ましい。
【発明の効果】
【００１２】
本発明に係るエレベータ乗場機器の防水装置によれば、透明フィルムと、フィルム供給軸と、フィルム回収軸と、を備え、フィルム供給軸及びフィルム回収軸は、乗場機器の端部又は乗場機器周囲の乗場壁に、透明フィルムが乗場機器表面をカバーするようにそれぞれ対向して設けられ、フィルム回収軸を回転させることにより、フィルム供給軸も連動回転して新しい透明フィルムが乗場機器の表面をカバーすると共に、使用済みの透明フィルムがフィルム回収軸に巻き取られて回収されるので、透明フィルムによって乗場機器の水濡れを防止できると共に、乗場押ボタンをカバーする部分が磨耗する、或いは透明フィルムに塵や埃が堆積して汚れが目立つようになった場合に、フィルム回収軸を回転させるだけで、乗場機器をカバーしている透明フィルムを交換（更新）することが可能になる。即ち、透明フィルムの交換作業を簡便且つ迅速に実施することができる。
【００１３】
また、フィルム供給軸よりも上方の乗場機器縁部器又は乗場壁に左右方向に沿って設置され乗場機器又は乗場壁から突出した上部防水壁を含み、フィルム供給軸をカバーすると共に、回転可能に支持する上部防水フレームを備える構成とすれば、乗場機器の上部方向から直接又は乗場壁を伝わって水が浸入するおそれがある場合においても、水の浸入を遮断して乗場機器の水濡れを防止することができる。また、フィルム供給軸周辺の水濡れを防止できると共に、例えば、フィルム供給軸が取り外される等のいたずらを防止することができる。
【００１４】
また、乗場機器の両側縁部又は乗場機器の両側端部に近接した乗場壁に上下方向に沿って設置され、透明フィルムの側縁部をカバーするサイド防水フレームを備える構成とすれば、例えば、風雨が強く乗場機器の左右（横方向）から水が浸入するおそれがある場合においても、横方向からの水の浸入を遮断して乗場機器の水濡れを防止することができる。
【００１５】
また、フィルム回収軸をカバーすると共に、回転可能に支持する下部防水フレームを備え、フィルム回転軸及び下部防水フレームに、フィルム回収軸を回転させる回収軸回転具を挿入する嵌合部が設けられる構成とすれば、フィルム回収軸周辺の水濡れを防止できると共に、回収軸回転具によってフィルム回収軸を回転させることが可能で、透明フィルムの更新作業を簡便に実施することができる。加えて、本構成によれば、嵌合部に挿入できない道具又は嵌合部に嵌合しない道具や素手によるフィルム回収軸の回転操作を不可能にし、いたずらによる透明フィルムの更新を防止することができる。
【００１６】
さらに、フィルム回収軸をカバーすると共に、回転可能に支持する下部防水フレームを備え、下部防水フレームに、フィルム回収軸を回転させる電動モータが設けられる構成とすれば、例えば、電動モータのＯＮ操作によって、フィルム回収軸を自動で回転させることができ、透明フィルムの更新作業がさらに容易になる。
【発明を実施するための最良の形態】
【００１７】
図面を用いて本発明に係る実施の形態につき以下詳細に説明する。図１は、エレベータ乗場及び乗場壁に設置されたエレベータ乗場機器をカバーして取り付けられたエレベータ乗場機器の防水装置を示す図である。図２は、図１のＡ−Ａ断面図であり、図３は、図１のエレベータ乗場機器の防水装置を右側面から見た側面図である。
【００１８】
図１に示すように、エレベータ乗場機器の防水装置１０（以下、防水装置１０とする）は、エレベータ乗場１１の壁面（以下、乗場壁１２とする）に設置された乗場機器（図１では乗場ユニット１５）の表面を、後述する透明フィルム１８でカバーするように取り付けられ、乗場機器の水濡れを防止する装置である。なお、エレベータ乗場１１及び乗場壁１２に設置される乗場機器は、風雨に曝される場所に設置されたものとして説明する。
【００１９】
防水装置１０によって保護される乗場機器とは、乗場壁１２に設置されるエレベータの構成部材であり、水濡れによって不具合を引き起こす電子部品である。具体的には、乗場インジケータ１３、乗場押ボタン１４、図示しない乗場休止スイッチ等が挙げられる。ここで、乗場インジケータ１３は、図示しないエレベータかごの運転方向や位置（階床）を表示する表示器であり、乗場押ボタン１４とは、図示しないエレベータかごを呼ぶためのボタンである。乗場休止スイッチとは、エレベータの運転及び休止の操作を行うためのスイッチであり、通常は最下階のエレベータ乗場１１に設置される。
【００２０】
いずれのエレベータ乗場１１においても、乗場インジケータ１３及び乗場押ボタン１４が設置され、図１に示すように両方が一体化した形態（以下、乗場ユニット１５とする）及び両方が分離して設置される形態が挙げられる。以下では、乗場機器は、乗場インジケータ１３及び乗場押ボタン１４を有し、これらが一体化された乗場ユニット１５として説明するが、防水装置１０が適用される乗場機器はこれに限定されず、例えば、エレベータ乗場ドア１６の上部の乗場壁１２に設置される乗場インジケータ１３等にも取り付けることができる。
【００２１】
図１に示すように、乗場ユニット１５は、エレベータ乗場ドア１６の右側の乗場壁１２に設置されている。具体的には、乗場ユニット１５は薄板形状であって、図２に示すように、乗場壁１２に形成された窪み部１７に嵌合されている。乗場ユニット１５の裏面側或いは窪み部１７には、図示しない電子基板、ＬＥＤ等の表示用ランプ、エレベータ制御装置に繋がる配線等の電子部品が設置されている。乗場ユニット１５の表面側が水濡れした場合には、電子部品が設置される乗場ユニット１５の裏面側や窪み部１７に水が浸入して、それら電子部品がショートする等の不具合を引き起こすおそれがある。
【００２２】
乗場ユニット１５の乗場インジケータ１３及び乗場押ボタン１４が設置される部分には、通常、貫通孔が設けられ、その貫通孔に乗場インジケータ１３の表面側に設置され表示ランプ等をカバーする板部材（以下、乗場インジケータ１３の表面板とする）や乗場押ボタン１４の押圧される部材（以下、乗場押ボタン１４の押圧部とする）が設置される。乗場インジケータ１３の表面板は、一般的に、プラスチック板から構成され、乗場ユニット１５の貫通孔に嵌合されている。また、乗場ユニット１５自体もプラスチック板又はＳＵＳ板等から構成され、上記のように、窪み部１７に嵌合されている。乗場押ボタン１４の押圧部は、ボタン操作を可能にするため、所定の隙間を開けて乗場ユニット１５の貫通孔に設置される。乗場ユニット１５において、表側から裏側（窪み部１７）に水が浸入するおそれがある箇所は、乗場ユニット１５と窪み部１７との隙間、乗場インジケータ１３の表面板の隙間（表面板と乗場ユニット本体との隙間）、乗場ボタン１４の押圧部の隙間（押圧部と乗場ユニット本体との隙間）であるが、乗場ユニット１５が水濡れした場合には、乗場ボタン１４の押圧部の隙間から水が浸入する可能性が最も高い。なお、乗場ユニット１５と窪み部１７との隙間、及び乗場インジケータ１３の表面板の隙間は、ほとんど開いておらず、又は形成されず、水が浸入する可能性は低い。従って、防水装置１０は、透明フィルム１８が、少なくとも乗場押ボタン１４をカバーするように取り付けられ、好ましくは乗場インジケータ１３、必要により乗場ユニット１５の全体をカバーするように取り付けられることが好ましい。
【００２３】
図１に示す防水装置１０は、乗場ユニット１５の全体をカバーする透明フィルム１８を備える。後述するように、フィルム供給軸１９等を乗場ユニット１５上に設置することもできるが、取り付けるスペースの問題（スペースがない、又は狭い）から乗場壁１２に防水装置１０（フィルム供給軸１９等）を取り付けることもできる。従って、防水の観点だけでなく、防水装置１０の取り付けスペースの観点から、結果的に乗場ユニット１５の全体がカバーされることもある。
【００２４】
防水装置１０は、図１０に示すように、使用前の透明フィルム１８を巻き付けたフィルム供給軸１９と、透明フィルム１８の他端が固定され、使用済みの透明フィルム１８を巻き取るフィルム回収軸２０と、を備える。図１０は、後述する上部防水フレーム２１及び下部防水フレーム２２にセットされるフィルムユニット３７を示す図である。このフィルムユニット３７が、防水装置１０の必須構成要素である。
【００２５】
透明フィルム１８は、乗場ユニット１５の表面をカバーして乗場ユニット１５を防水する機能を有する部材であるから、撥水性の高い樹脂フィルムを使用することが好ましい。また、透明フィルム１８は、乗客が使用する乗場ユニット１５をカバーしているため、透明性、耐久性（耐磨耗、耐候性等）にも優れることが好ましい。透明フィルム１８として使用できる樹脂フィルムとしては、例えば、ポリオレフィン（ポリエチレン、ポリプロピレン）、ポリ塩化ビニル、ポリエステル（ＰＥＴ）、ポリカーボネート、ナイロン等の樹脂からなる樹脂フィルムが挙げられる。
【００２６】
透明フィルム１８の長さ、即ちフィルム供給軸１９及びフィルム回収軸２０に沿った方向の長さは、乗場ユニット１５の使用条件等を考慮して任意に設定することができるが、少なくとも数回程度透明フィルム１８を更新できるように、両軸間の長さよりも長くフィルム供給軸１９に巻き付けられる長さであることが好ましい。透明フィルム１８の幅、即ちフィルム供給軸１９及びフィルム回収軸２０に沿った方向に直交する方向の長さも、乗場ユニット１５の形態やエレベータ乗場１１の状態等を考慮して任意に設定することができるが、上記のように、少なくとも乗場押ボタン１４をカバーできる幅であることが好ましく、風雨が激しい場合においても乗場押ボタン１４等が水濡れしないように、乗場ユニット１５の幅と同等或いはそれ以上の幅であることがさらに好ましい。なお、透明フィルム１８の色彩等もデザイン性を考慮して任意に設定できるが、乗場インジケータ１３等が見易い色や透明性を有することが好ましい。
【００２７】
図１０に示すように、透明フィルム１８は、使用前においてはロール状にフィルム供給軸１９に巻き付けられており、一端がフィルム回収軸２０に固定されている。フィルム供給軸１９及びフィルム回収軸２０は、乗場ユニット１５の周囲の乗場壁１２又は乗場ユニット１５の縁部に、透明フィルム１８が乗場ユニット１５の表面をカバーするようにそれぞれ対向して設けられる。具体的には、フィルム供給軸１９及びフィルム回収軸２０を回転可能に支持する軸受け等が乗場壁１２等に設けられ、その軸受けにフィルム供給軸１９及びフィルム回収軸２０が取り付けられる。一般的に、乗場ユニット１５や乗場押ボタン１４は、上下方向の長い矩形形状であるからフィルム供給軸１９及びフィルム回収軸２０は、乗場ユニット１５や乗場押ボタン１４を挟んで、その上下に対向設置されることが好ましい。なお、左右方向に沿って設置される乗場インジケータ１３、例えば、エレベータ乗場ドア１６の上部の乗場壁１２に設置される乗場インジケータ１３等に防水装置１０を取り付ける場合には、左右方向に対向してフィルム供給軸１９及びフィルム回収軸２０を設置することができる。
【００２８】
防水装置１０は、上記のフィルム供給軸１９及びフィルム回収軸２０を備え、回転可能に乗場壁１２又は乗場ユニット１５に取り付けられたフィルム回収軸２０を回転させることにより、フィルム供給軸１９が連動回転して、フィルム供給軸１９に巻かれた新しい透明フィルム１８が乗場ユニット１５の表面をカバーすると共に、今まで乗場ユニット１５の表面をカバーしていた使用済みの透明フィルム１８をフィルム回収軸２０に巻き取って回収する機能を有する。従って、透明フィルム１８によって乗場ユニット１５の水濡れを防止できると共に、乗場押ボタン１４をカバーする部分が磨耗して劣化し、透明フィルム１８に砂や埃が堆積して汚れた場合に、簡便且つ迅速に乗場ユニット１５をカバーする透明フィルム１８を更新することが可能になる。
【００２９】
図１等に示すように、防水装置１０は、例えば、図示しない軸受け部（図９；軸受け部３６参照）を有し、フィルム供給軸１９を回転可能且つ着脱可能に支持する上部防水フレーム２１を備えることが好ましい。図２に示すように、上部防水フレーム２１は、少なくともフィルム供給軸１９よりも上方の乗場壁１２に、左右方向に沿って設置され、乗場壁１２から突出した上部防水壁２３を有する。上部防水壁２３としては、左右方向、即ちフィルム供給軸１９に沿った方向に沿って設置され、乗場壁１２から突出する形状であれば、特に限定されず、例えば、図2に示すように、Ｌ字形状であって、フィルム供給軸１９の上部をカバーして、乗場壁１２に密着した状態でビス止めされた形態を採用することができる。なお、上部防水壁２３と乗場壁１２、又は上部防水壁２３と乗場ユニット１５（後述する乗場ユニット１５に上部防水フレーム２１を設置する場合）との密着性を高めるために、両者の間にシール材（パッキン）を設置することもできる。また、上部防水壁２３を含む上部防水フレーム２１は、接着剤や磁石等を利用して乗場壁１２や乗場ユニット１５に設置することもできる。例えば、乗場ユニット１５がＳＵＳ板から構成される場合には、磁石を使用して上部防水フレーム２１を取り付けることが可能である。このように、上部防水壁２３を含む上部防水フレーム２１を備えることにより、乗場ユニット１５の上部方向から直接又は乗場壁１２を伝わってくる水を遮断することができる。
【００３０】
上部防水フレーム２１は、上部防水壁２３だけでなく、図１〜図３に示すように、乗場壁１２と平行に設けられる壁であってフィルム供給軸１９の表面をカバーする防水フレーム表面壁２４（以下、防水フレームにおいて、同様の目的、同様の形態や配置等を有する部材については、同一名称を使用し、上部防水フレーム２１に付設する部材の符号にはＡ、下部防水フレーム２２に付設する部材にはＢを付する）、乗場壁１２に垂直に設けられる壁であってフィルム供給軸１９のサイドをカバーする防水フレーム側面壁２６、上部防水壁２３に対向して設けられフィルム供給軸１９の下部をカバーする上部防水フレーム下面壁２７を有する箱型形状であることが好ましい。このような構成により、風雨が激しい場合においても、フィルム供給軸１９及びフィルム供給軸１９に巻き付けられた透明フィルム１８が水濡れすることなく、また、フィルム供給軸１９が抜き取られる等のいたずらを防止することができる。
【００３１】
また、上部防水フレーム２１は、図２に示すように、防水フレーム表面壁２４Ａと上部防水フレーム下面壁２７とが一体化されたＬ字形状を有し、上部防水壁２３にビス止めされた形態とすることができる。このような形態とすれば、一体化された防水フレーム表面壁２４Ａ及び上部防水フレーム下面壁２７を取り外すことにより、容易にフィルム供給軸１９（フィルムユニット３７）を交換することができる。なお、上部防水フレーム２１を構成する全ての壁部を一体化した形態とすることもできる。
【００３２】
さらに、上部防水フレーム２１は、透明フィルム１８が上部防水フレーム２１から出る部分、即ちフィルム供給口からの水の浸入を確実に防止すべく、上部防水フレーム下面壁２７に供給口シール部３８を設けることができる。供給口シール部３８は、ゴム等の弾性体から構成される所謂シール材（パッキン）であり、図２に示すように、透明フィルム１８を挟むように、乗場壁１２にも分割して設置することが好ましい。また、フィルム供給軸１９に巻き付けられた透明フィルム１８の量が減少した場合においても、透明フィルム１８と乗場ユニット１５との距離が変化しないように、また、透明フィルム１８をスムーズに移動するように、送り軸２５を設けることが好ましい。
【００３３】
図１に示すように、防水装置１０には、下部防水フレーム２２を設けることができる。下部防水フレーム２２は、上部防水フレーム２１と同様に、図示しない軸受け部（図９；軸受け部３６参照）を有し、フィルム回収軸２０を回転可能且つ着脱可能に支持する機能を有する。さらに、下部防水フレーム２２は、フィルム回収軸２０をカバーする機能を有する。具体的には、上部防水フレーム２１と同様に、フィルム回収軸２０の四方をカバーする、防水フレーム表面壁２４Ｂ、防水フレーム側面壁２６Ｂ、フィルム回収軸２０の下部をカバーする下部防水フレーム上面壁２８、フィルム回収軸２０の下部をカバーする下部防水フレーム下面壁２９を有する箱型形状であることが好ましい。このような形状とすることによって、風雨が激しい場合においても、フィルム回収軸２０等が水濡れすることなく、また、フィルム回収軸２０が抜き取られる或いはフィルム回収軸２０が回されて透明フィルム１８が巻き取られる等のいたずらを防止することができる。
【００３４】
また、下部防水フレーム２２は、透明フィルム１８が下部防水フレーム２２に入る部分、即ち下部防水フレーム２２のフィルム回収口からの水の浸入を確実に防止すべく、供給口シール部３８と同様の回収口シール部３９を下部防水フレーム上面壁２８に設けることが好ましい。なお、回収口シール部３９も、ゴム等の弾性体から構成される所謂シール材（パッキン）であり、図２に示すように、透明フィルム１８を挟むように、乗場壁１２にも分割して設置する。後述するように、下部防水フレーム２２に電動モータ３５を設置する場合などには、回収口シール部３９を設けることが特に好ましい。
【００３５】
図３に示すように、下部防水フレーム２２の防水フレーム側面壁２６Ｂには、フィルム回収軸２０を回転させるための専用器具である回収軸回転具３０を挿入する嵌合部３１を形成することができる。また、フィルム回収軸２０にも、下部防水フレーム２２に形成された嵌合部３１と同一形状の嵌合部、即ち図示しないフィルム回収軸嵌合部を設けることが必要である。回収軸回転具３０によって、フィルム回収軸２０を回転させることが可能となり、透明フィルム１８の更新作業を簡便に実施することができる。なお、回収軸回転具３０及び嵌合部３１（フィルム回収軸嵌合部）の形状は、任意に設定できるが、互いに嵌合できる形状であると共に、嵌合部３１は多数出回っている市販の器具が嵌合しない形状であることが好ましい。このような構成とすれば、嵌合部３１に嵌合できない器具や素手によるフィルム回収軸２０の回転操作を不可能にし、いたずらによる透明フィルム１８の更新を防止することができる。なお、フィルム回収軸嵌合部は、フィルム回収軸２０に直接形成されるものだけでなく、フィルム回収軸嵌合部を形成したアダプタをフィルム回収軸２０に取り付けた形態も含まれる。
【００３６】
図４及び図５に示すように、フィルム供給軸１９及びフィルム回収軸２０をそれぞれ支持する上部防水フレーム２１及び下部防水フレーム２２を、乗場ユニット１５の縁部に設置することができる。具体的には、乗場ユニット１５の上縁部と下縁部にそれぞれ設置され、乗場ユニット１５を乗場壁１２（窪み部１７）に固定するビスを使用して乗場ユニット１５と共に固定することができる。このように防水装置１０を乗場ユニット１５に取り付ける形態とすれば、乗場壁１２を加工する必要がないため、乗場壁１２を傷付けることなく、また、防水装置１０の取り付け工事が簡単である等のメリットがある。
【００３７】
図６及び図７に示すように、防水装置１０には、乗場ユニット１５の両側端部に近接した乗場壁１２に上下方向に沿ったサイド防水フレーム３２を設置することができる。なお、サイド防水フレーム３２も上部防水フレーム２１や下部防水フレーム２２と同様に、乗場ユニット１５の縁部にも設置することができ、同様にビス止め、或いは接着剤や磁石等によって固定できる。サイド防水フレーム３２は、透明フィルム１８の側縁部をカバーするように設置され、透明フィルム１８をカバーすると共に、透明フィルム１８の更新をスムーズにするためのサイド防水フレーム溝３３を有することが好ましい。また、透明フィルム１８には、フィルムの側縁部にゴム等の弾性体からなるシール材（パッキン）を取り付けたフィルムサイドシール部３４を設けることができる。従って、図７に示すように、防水装置１０は、透明フィルム１８のフィルムサイドシール部３４がサイド防水フレーム溝３３に嵌合された構成をとることができる。このような構成とすれば、風雨が激しい場合においても、横方向からの水の浸入を防止でき、乗場ユニット１５の防水性能がさらに向上する。なお、サイド防水フレーム３２は、上部防水フレーム２１及び下部防水フレーム２２と結合され、フィルム供給口からフィルム回収口の全長に亘って透明フィルム１８の側縁部をカバーすることが好ましい。
【００３８】
図８に示すように、フィルム供給軸１９等を乗場壁１２に形成した凹み部に設置することもできる。このような構成とすれば、フィルム供給軸１９をカバーする上部防水フレーム２１を薄型形態とすることが可能である。なお、図８に示すように、上部防水フレーム２１は、上部防水フレーム下面壁２７等を有さず、上部防水壁２３及び防水フレーム表面壁２４Ａからなる形態とすることもできる。
【００３９】
図９に示すように、下部防水フレーム２２に、フィルム回収軸２０を回転させる電動モータ３５を設置することができる。このような電動モータ３５を備えることにより、フィルム回収軸２０を自動で回転させることができ、透明フィルム１８の更新作業がさらに容易になる。また、電動モータ３５を作動させる図示しないスイッチを設けることができ、そのスイッチは、エレベータ管理者等の特定者のみが簡便操作できるように、リモコンスイッチや目立たない側部壁等に設置されたスイッチとすることが好ましい。なお、フィルム回収軸２０の一端は、防水フレーム軸受け３６Ｂに回転可能に支持されている。同様の防水フレーム軸受け３６は、上部防水フレーム２１にも設置され、フィルム供給軸１９を回転可能に支持している。
【００４０】
上記構成の防水装置１０の作用について以下詳細に説明する。
【００４１】
上記のように、エレベータ乗場１１は、駅、公園や競技場等の野外施設、マンションやビルの１階など、風雨に曝される可能性のある場所に設置されることがある。そのようなエレベータ乗場１１の乗場壁１２に設置される乗場ユニット１５も風雨に曝されて水濡れするおそれがあり、そのような水濡れを防止するのが防水装置１０である。
【００４２】
防水装置１０の透明フィルム１８は、乗場ユニット１５の表面をカバーして設けられ、乗場ユニット１５を水濡れから保護する。また、少なくとも上部防水壁２３を有する上部防水フレーム２１、下部防水フレーム２２、サイド防水フレーム３２、さらにはこれら防水フレームに設けられるシール部等により、乗場ユニット１５の上下方向或いは左右方向から雨水が浸入するおそれがあるような風雨が激しい場合においても、乗場ユニット１５の水濡れを確実に防止することが可能である。
【００４３】
防水装置１０は、フィルム供給軸１９及びフィルム回収軸２０を備えており、フィルム回収軸２０を回転させることにより、フィルム供給軸１９も連動回転して新しい透明フィルム１８が乗場ユニット１５の表面をカバーする。そして、乗場ユニット１５の表面をカバーしていた使用済みの透明フィルム１８がフィルム回収軸２０に巻き取られて回収される。乗客は、透明フィルム１８を介して乗場押ボタン１４を押すので、乗場押ボタン１４をカバーする部分が磨耗する、又は透明フィルム１８に砂、塵、埃が堆積して汚れが目立つようになるため、乗場ユニット１５をカバーしている透明フィルム１８を交換する必要が生じるが、防水装置１０によれば、フィルム回収軸２０を回転操作するだけで容易に磨耗又は汚れた透明フィルム１８を新品のフィルムに更新することができる。
【００４４】
例えば、エレベータ所有者等は、回収軸回転具３０を、下部防水フレーム２２の嵌合部３１に挿入嵌合して、フィルム回収軸２０を回転操作することができる。従って、エレベータの専門知識を有さないエレベータ所有者等によっても簡便に乗場ユニット１５をカバーしている透明フィルム１８の交換作業を行うことができる。また、嵌合部３１を有する構成とすれば、嵌合部３１に嵌合しない道具や素手によるフィルム回収軸２０の回転操作を不可能にし、いたずらによる透明フィルム１８の更新を防止することができる。
【００４５】
フィルム供給軸１９に巻かれた透明フィルム１８が無くなった場合には、例えば、防水フィルム表面壁２４Ａ、２４Ｂ等を取り外し、新しいフィルムユニット３７を防水フレームにセットすることができる。なお、透明フィルム１８の更新間隔は、乗場ユニット１５の使用頻度や設置場所の状態によっても異なるが、概ね１週間〜１年であり、半年程度で更新される場合が最も多いと想定される。なお、上記のように、使用頻度等を考慮して、透明フィルム１８の長さを設定することが好ましく、使用頻度が高い場合には、透明フィルム１８の長さが長い、即ちフィルム供給軸１９に巻き付けられたフィルム量が多いフィルムセット３７を使用することが好ましい。
【図面の簡単な説明】
【００４６】
【図１】エレベータ乗場及び乗場壁に設置されたエレベータ乗場機器をカバーして取り付けられたエレベータ乗場機器の防水装置を示す図である。
【図２】図１のＡ−Ａ断面図である。
【図３】図１のエレベータ乗場機器の防水装置を右側面から見た側面図である。
【図４】エレベータ乗場機器の防水装置が乗場ユニットの縁部に取り付けられた形態を示す図である。
【図５】図４に示すエレベータ乗場機器の防水装置のフィルム供給軸部分の断面図である。
【図６】サイド防水フレームを有するエレベータ乗場機器の防水装置を示す図である。（主要部材の符号のみ記載）
【図７】図６のＢ−Ｂ断面図である。（下部防水フレーム部分は省略）
【図８】乗場壁にフィルム供給軸が埋め込まれたエレベータ乗場機器の防水装置のフィルム供給軸部分の断面図である。
【図９】フィルム回収軸に電動モータが設置されたエレベータ乗場機器の防水装置を示す図であり、下部防水フレームの表面壁を取り外した状態を示す図である。
【図１０】防水フレームに設置されるフィルムユニットを示す図である。
【符号の説明】
【００４７】
１０  エレベータ乗場機器の防水装置、１１  エレベータ乗場、１２  乗場壁、１３  乗場インジケータ、１４  乗場押ボタン、１５  乗場ユニット、１６  エレベータ乗場ドア、１７  窪み部、１８  透明フィルム、１９  フィルム供給軸、２０  フィルム回収軸、２１  上部防水フレーム、２２  下部防水フレーム、２３  上部防水壁、２４  防水フレーム表面壁、２５  フィルム送り軸、２６  防水フレーム側面壁、２７  上部防水フレーム下面壁、２８  下部防水フレーム上面壁、２９  下部防水フレーム下面壁、３０  回収軸回転具、３１  嵌合部、３２  サイド防水フレーム、３３  サイド防水フレーム溝、３４  フィルムサイドシール部、３５  電動モータ、３６  防水フレーム軸受け、３７  フィルムユニット、３８  供給口シール部、３９  回収口シール部。
【図１】
2010023936.tif 000003
【図２】
2010023936.tif 000004
【図３】
2010023936.tif 000005
【図４】
2010023936.tif 000006
【図５】
2010023936.tif 000007
【図６】
2010023936.tif 000008
【図７】
2010023936.tif 000009
【図８】
2010023936.tif 000010
【図９】
2010023936.tif 000011
【図１０】
2010023936.tif 000012